【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
吸入による１つまたは複数の薬物の人へのコンプライアンスベースの送達のためのスマート吸入器システムであって、
前記人により生成された気体を処理するように構成されたブレスプリントセンサシステムと、
吸入により前記１つまたは複数の薬物を前記人に送達するように構成された吸入器装置と、
薬物投薬量データおよび時間データを受信し、
少なくとも前記薬物投薬量データおよび前記時間データに従って前記吸入器装置の動作を制御する
ように構成された制御システムであって、前記薬物投薬量データは前記１つまたは複数の薬物の過去の投薬量を示し、前記時間データは前記過去の投薬量が前記人に送達された時刻を示す、制御システムと、
を備える、スマート吸入器システム。
【請求項２】
前記吸入器装置の動作を制御するステップは、前記１つまたは複数の薬物の現在の投薬量を調整するステップを含む、請求項１に記載のスマート吸入器システム。
【請求項３】
前記スマート吸入器システムが、前記時間データと関連して前記薬物投薬量データを格納し且つ複数の過去の投薬量および前記過去の投薬量が前記人を特定する患者アイデンティティデータと関連して送達された複数の時刻を特定するコンプライアンスデータを格納するように構成されたメモリをさらに備え、前記コンプライアンスデータは前記薬物投薬量データおよび前記時間データを含む、請求項１に記載のスマート吸入器システム。
【請求項４】
前記薬物投薬量データおよび前記時間データは、複数の過去の投薬量および前記過去の投薬量が前記人を特定する患者アイデンティティデータと関連して送達された複数の時刻を特定するコンプライアンスデータを記録するように構成されたデータベースから受信され、前記コンプライアンスデータは前記薬物投薬量データおよび前記時間データを含む、請求項１に記載のスマート吸入器システム。
【請求項５】
前記制御システムはさらに、現在の投薬量の前記人への送達に対する、前記１つまたは複数の薬物の前記現在の投薬量および現在時刻を特定するように構成される、請求項１に記載のスマート吸入器システム。
【請求項６】
前記制御システムはさらに、
前記薬物投薬量データおよび前記時間データ、または
現在の投薬量の前記人への送達に対する、前記１つまたは複数の薬物の前記現在の投薬量および現在時刻
のうち一方または両方を薬物送達スケジュールと比較し、
前記比較に基づいて、前記人の前記薬物送達スケジュールとのコンプライアンスを決定する  ように構成され、
前記吸入器装置の動作はさらに前記コンプライアンスに従って制御される、
請求項１に記載のスマート吸入器システム。
【請求項７】
前記吸入器装置の動作はさらに、生物学的条件または環境条件のうち一方または両方に従って制御される、請求項１に記載のスマート吸入器システム。
【請求項８】
吸入による１つまたは複数の薬物の人へのコンプライアンスベースの送達のためのスマート吸入器システムであって、
前記人により生成された気体を処理するように構成されたブレスプリントセンサシステムであって、前記ブレスプリントセンサシステムは、前記気体内の化合物への応答特性を有する複数のセンサを備え、前記応答特性は、前記１つまたは複数の薬物の前記人への指示された投与に続く前記センサの呼吸サンプルへの露出に応答して異なるレベルにあり、前記センサは、前記応答の前記異なるレベルを表すセンサデータを出力するように構成される、ブレスプリントセンサシステムと、
吸入により前記１つまたは複数の薬物を前記人に送達するように構成された吸入器装置と、
前記センサデータを受信し、
前記センサデータに基づいて、
前記１つまたは複数の薬物の前記人への投薬量、または
前記投薬量を前記人に投与する時刻
のうち一方または両方を決定する
ように構成された制御システムと、
を備える、スマート吸入器システム。
【請求項９】
前記制御システムはさらに、
少なくとも前記投薬量および前記時刻に従う前記吸入器装置の動作、または
前記センサデータに従う警告の出力
のうち一方または両方を制御ように構成され、
前記動作は前記投薬量を前記人に投与するステップを含む、
請求項８に記載のスマート吸入器システム。
【請求項１０】
前記制御システムはさらに、
薬物送達スケジュールと、前記投薬量および前記時刻を比較し、
前記比較に基づいて、前記人の前記薬物送達スケジュールとのコンプライアンスを決定し、
少なくとも部分的に前記コンプライアンスに従って前記吸入器装置の動作を制御する
ように構成された、請求項８に記載のスマート吸入器システム。
【請求項１１】
前記センサは、前記１つまたは複数の薬物の薬物動態学に関連する１つまたは複数のマーカの変化を検出するように構成された、請求項８に記載のスマート吸入器システム。
【請求項１２】
各センサは、気体内の揮発性有機化合物（ＶＯＣ）露出に基づく可変コンダクタンスを有する高分子層を含む、請求項８に記載のスマート吸入器システム。
【請求項１３】
少なくとも前記ブレスプリントセンサシステム、前記吸入器装置、および前記制御システムの間での通信を提供するインターフェースシステムであって、前記インターフェースシステムは、ワイヤレスネットワークを介してデータを外部デバイスと交換するためのワイヤレスネットワークインターフェースを備える、インターフェースシステムをさらに備える、請求項８に記載のスマート吸入器システム。
【請求項１４】
人により生成された気体を処理するように構成されたブレスプリントセンサシステムに関連付けられ、吸入により１つまたは複数の薬物を前記人に送達するように構成された吸入器装置に関連付けられた１つまたは複数のプロセッサにより実行されるプログラムコードを格納した非一時的コンピュータ可読記憶媒体であって、前記プログラムコードは、
薬物投薬量データおよび時間データを処理するステップであって、前記薬物投薬量データは前記１つまたは複数の薬物の過去の投薬量を示し、前記時間データは前記過去の投薬量が前記人に送達された時刻を示す、ステップと、
少なくとも前記薬物投薬量データおよび前記時間データに従って前記吸入器装置の動作を制御するステップと、
を実施するように構成された命令を含む、非一時的コンピュータ可読記憶媒体。
【請求項１５】
人により生成された気体を処理するように構成されたブレスプリントセンサシステムに関連して吸入により１つまたは複数の薬物を前記人へ投薬する投薬量、および前記投薬量を投与するための時刻を決定する方法であって、前記ブレスプリントセンサシステムは、前記気体内の化合物への応答特性を有する複数のセンサを備え、前記応答特性は、前記１つまたは複数の薬物の前記人への最初の投与に続く前記センサの呼吸サンプルへの露出に応答して異なるレベルにあり、前記センサは、前記応答の前記異なるレベルを表すセンサデータを出力するように構成され、吸入により前記１つまたは複数の薬物を前記人に送達するように構成された吸入器装置と関連して、前記方法は、
前記センサデータを受信するステップと、
前記センサデータに基づいて、
前記１つまたは複数の薬物の前記人への投薬量、または
前記投薬量を前記人に投与する時刻
のうち一方または両方を決定するステップと、
少なくとも前記投薬量および前記時刻に従う前記吸入器装置の動作、または
警告前記センサデータに従う警告の出力
のうち一方または両方を制御するステップと、
を含む、方法。